(57)【要約】【課題】複数人に同じ内容の画像を見せるか一部の人に異なる画像を見せるかを特別な操作を要求することなく適切に制御できるようにする。【解決手段】表示部１８に表示させる画像に特定のオブジェクトが含まれるか否かに基づいて、複数の視野角方向から同じ画像が視認されるように制御するか、別々の画像が視認されるように制御する。すなわち、元画像を表示部１８に表示させるとともに、第１及び第２視野角方向から元画像が視認されるように表示部１８を制御するか、元画像とその画像内の特定のオブジェクトを加工した加工処理済み画像とを表示部１８に同時に表示させるとともに、第１視野角方向から元画像が視認されるように表示部１８を制御し、かつ第２視野角方向から加工処理済み画像が視認されるように表示部１８を制御する。【選択図】  図５
2011197537.tif 000002
【特許請求の範囲】
【請求項１】
表示部の視野角方向を制御する端末装置であって、
第１画像を前記表示部に表示させるとともに、第１視野角方向と該第１視野角方向とは異なる第２視野角方向との両方から前記第１画像が視認されるように前記表示部を制御する第１制御手段と、
前記第１画像とそれとは異なる第２画像とを前記表示部に同時に表示させるとともに、前記第１視野角方向から前記第１画像が視認されるように前記表示部を制御し、前記第２視野角方向から前記第２画像が視認されるように前記表示部を制御する第２制御手段と、
前記表示部に表示させる画像内に特定のオブジェクトが含まれているか否かを判別する判別手段と、
前記判別手段の判別結果に基づいて、前記第１制御手段及び第２制御手段のいずれか一方による制御の実行を指示する指示手段と、
を備えることを特徴とする端末装置。
【請求項２】
前記指示手段は、前記判別手段によって特定のオブジェクトが含まれていると判別された場合に、前記第２制御手段による制御の実行を指示する、
ようにしたことを特徴とする請求項１記載の端末装置。
【請求項３】
前記特定のオブジェクトに対して加工処理が施された画像を取得する取得手段をさらに備え、
前記第２制御手段は、前記第１画像として前記表示部に表示させる画像を、前記第２画像として前記取得手段によって取得された画像を、前記表示部に同時に表示させるように制御する、
ようにしたことを特徴とする請求項２記載の端末装置。
【請求項４】
前記取得手段は、前記特定のオブジェクトが含まれる画像を前記第１画像として、この第１画像に加工処理を施すことによって、前記特定のオブジェクトに加工処理が施された画像を前記第２画像として取得する、
ようにしたことを特徴とする請求項３記載の端末装置。
【請求項５】
前記取得手段は、前記特定のオブジェクトに加工処理が施された画像を外部から取得する、
ようにしたことを特徴とする請求項３記載の端末装置。
【請求項６】
前記指示手段は、前記判別手段によって特定のオブジェクトが含まれていないと判別された場合に、前記第１制御手段による制御の実行を指示する、
ようにしたことを特徴とする請求項１記載の端末装置。
【請求項７】
画像を撮影する撮影手段をさらに備え、
前記判別手段は、前記撮影手段により撮影された画像内に特定のオブジェクトが含まれているか否かを判別する、
ようにしたことを特徴とする請求項１記載の端末装置。
【請求項８】
前記特定のオブジェクトを含む画像と含まない画像とを撮影する撮影手段をさらに備え、
前記第２制御手段は、前記第１画像として前記撮影手段によって撮影された特定のオブジェクトを含む画像を、前記第２画像として前記撮影手段によって撮影された特定のオブジェクトを含まない画像を、前記表示部に同時に表示させるように制御する、
ようにしたことを特徴とする請求項１記載の端末装置。
【請求項９】
表示部の視野角方向を制御する端末装置であって、
前記表示部に表示させる画像内に特定のオブジェクトが含まれるか否かを判別する判別手段と、
前記判別手段によって特定のオブジェクトが含まれると判別された場合に、前記特定のオブジェクトに加工処理が施された画像を取得する取得手段と、
前記表示部に表示させる画像と前記取得手段によって取得された画像とを前記表示部に同時に表示させるとともに、前記表示部に表示させる画像が第１視野角方向から視認されるように前記表示部を制御し、前記取得された画像が該第１視野角方向とは異なる第２視野角方向から視認されるように前記表示部を制御する第１制御手段と、
を備えることを特徴とする端末装置。
【請求項１０】
前記判別手段によって特定のオブジェクトが含まれないと判別された場合に、前記表示部に表示させる画像を前記表示部に表示させるとともに、前記表示部に表示させる画像が第１視野角方向と該第１視野角方向とは異なる第２視野角方向との両方から視認されるように前記表示部を制御する第２制御手段をさらに備える、
ようにしたことを特徴とする請求項９記載の端末装置。
【請求項１１】
表示部の視野角方向を制御する端末装置であって、
第１画像を前記表示部に表示させるとともに、第１視野角方向と該第１視野角方向とは異なる第２視野角方向との両方から前記第１画像が視認されるように前記表示部を制御する第１制御手段と、
前記第１画像とそれとは異なる第２画像とを前記表示部に同時に表示させるとともに、前記第１視野角方向から前記第１画像が視認されるように前記表示部を制御し、前記第２視野角方向から前記第２画像が視認されるように前記表示部を制御する第２制御手段と、
前記表示部に表示させる画像がその画像とは異なる画像と対応付けられているか否かを判別する判別手段と、
前記判別手段の判別結果に基づいて、前記第１制御手段及び第２制御手段のいずれか一方による制御の実行を指示する指示手段と、
を備えることを特徴とする端末装置。
【請求項１２】
前記特定のオブジェクトを含む第１画像と含まない第２画像とを撮影する撮影手段と、
前記撮影手段によって撮影された特定のオブジェクトを含む第１画像と含まない第２画像とを対応付けて記憶部に記憶させる記憶制御手段と、
をさらに備え、
前記判別手段は、前記記憶部に記憶されている特定のオブジェクトを含む第１画像が、特定のオブジェクトを含まない第２画像と対応付けられているか否かを判別する、
ようにしたことを特徴とする請求項１１記載の端末装置。
【請求項１３】
コンピュータに対して、
第１画像を表示部に表示させるとともに、第１視野角方向と該第１視野角方向とは異なる第２視野角方向との両方から前記第１画像が視認されるように前記表示部を制御する機能と、
前記第１画像とそれとは異なる第２画像とを前記表示部に同時に表示させるとともに、前記第１視野角方向から前記第１画像が視認されるように前記表示部を制御し、前記第２視野角方向から前記第２画像が視認されるように前記表示部を制御する機能と、
前記表示部に表示させる画像内に特定のオブジェクトが含まれるか否かを判別する機能と、
前記判別結果に基づいて、前記第１視野角方向と第２視野角方向との両方から前記第１画像が視認されるような制御の実行を指示し、前記第１視野角方向から前記第１画像が視認され、かつ、前記第２視野角方向から前記第２画像が視認されるような制御の実行を指示する機能と、
を実現させるためのプログラム。
【請求項１４】
コンピュータに対して、
表示部に表示させる画像内に特定のオブジェクトが含まれるか否かを判別する機能と、
前記特定のオブジェクトが含まれると判別された場合に、前記特定のオブジェクトに加工処理が施された画像を取得する機能と、
前記表示部に表示させる画像と前記取得された画像とを前記表示部に同時に表示させるとともに、前記表示部に表示させる画像が第１視野角方向から視認されるように前記表示部を制御し、前記取得された画像が該第１視野角方向とは異なる第２視野角方向から視認されるように前記表示部を制御する機能と、
を実現させるためのプログラム。
【請求項１５】
コンピュータに対して、
第１画像を表示部に表示させるとともに、第１視野角方向と該第１視野角方向とは異なる第２視野角方向との両方から前記第１画像が視認されるように前記表示部を制御する機能と、
前記第１画像とそれとは異なる第２画像とを前記表示部に同時に表示させるとともに、前記第１視野角方向から前記第１画像が視認されるように前記表示部を制御し、前記第２視野角方向から前記第２画像が視認されるように前記表示部を制御する機能と、
前記表示部に表示させる第１画像がその画像とは異なる画像と対応付けられているか否かを判別する機能と、
前記判別結果に基づいて、前記第１視野角方向と第２視野角方向との両方から前記第１画像が視認されるような制御の実行を指示し、前記第１視野角方向から前記第１画像が視認され、かつ、前記第２視野角方向から前記第２画像が視認されるような制御の実行を指示する機能と、
を実現させるためのプログラム。
【発明の詳細な説明】
【技術分野】
【０００１】
本発明は、表示部の視野角方向を制御する端末装置及びプログラムに関する。
【背景技術】
【０００２】
近年、携帯電話機などの端末装置の表示部は、大画面化が進み、かつ、表示部に表示されている画像を視認できる視野角方向も益々広くなり、複数人が同じ表示部を見ることもできるようになってきている。例えば、ユーザが自らのカメラ付き携帯電話機で撮影した多数の画像を会社の同僚達と一緒に閲覧することも可能となったが、家族などのような特定の人物が含まれていると、その人物までも同僚に見せることになってしまう。
【０００３】
また、電車の中で画像を閲覧しているような場合でも周囲の人に覗き込まれることにより、特定の人物を他人に見せることになってしまう。このように画像内に特定のオブジェクト（特定の人物など）が含まれている場合、従来では、そのオブジェクトを消したりそのオブジェクトにモザイクをかけたりするなどの加工処理を施すようにした技術が知られているが、このような加工を施すことにより、ユーザ自身もそのオブジェクトを見ることができなくなってしまう。
ところで、従来では、表示部に視差バリアを設けることにより複数の画像を表示部に同時に表示させている状態において、それぞれの画像をある方向からしか視認できないようにした技術が知られている（特許文献１及び２参照）。
【先行技術文献】
【特許文献】
【０００４】
【特許文献１】特開２００９−０８９３２９号公報
【特許文献２】特開２００８−２７６４９５号公報
【発明の概要】
【発明が解決しようとする課題】
【０００５】
しかしながら、上述の先行技術（特許文献１）にあっては、複数の視野角方向のうち、ある視野角方向では撮影画像を確認することができ、他の視野角方向では撮影情報を確認することができるようにしたものであるが、視野角方向を変えて別々に見なければならなかった。従って、撮影画像と撮影情報とを同時に見ることはできず、しかも、ユーザを含む複数人が同じ表示部を同時に見ることまでも想定したものではなかった。これに対して、上述の先行技術（特許文献２）にあっては、ある視聴者（ユーザ）用の画像及びアイコンと他の視聴者用の画像及びアイコンとを同時に表示したとしても、視野角方向に応じて視聴者別に自分の画像及びアイコンを確認可能としたものであるが、他者の画像及びアイコンまでも同時に見ることはできず、複数人が異なる内容を個別に見るしかなかった。
【０００６】
本発明の課題は、複数人に同じ内容の画像を見せるか、一部の人に異なる画像を見せるかを特別な操作を要求することなく適切に制御できるようにすることである。
【課題を解決するための手段】
【０００７】
上述した課題を解決するために請求項１記載の発明は、
表示部の視野角方向を制御する端末装置であって、
第１画像を前記表示部に表示させるとともに、第１視野角方向と該第１視野角方向とは異なる第２視野角方向との両方から前記第１画像が視認されるように前記表示部を制御する第１制御手段と、
前記第１画像とそれとは異なる第２画像とを前記表示部に同時に表示させるとともに、前記第１視野角方向から前記第１画像が視認されるように前記表示部を制御し、前記第２視野角方向から前記第２画像が視認されるように前記表示部を制御する第２制御手段と、
前記表示部に表示させる画像内に特定のオブジェクトが含まれているか否かを判別する判別手段と、
前記判別手段の判別結果に基づいて、前記第１制御手段及び第２制御手段のいずれか一方による制御の実行を指示する指示手段と、
を備えることを特徴とする。
【０００８】
請求項１に従属する発明として、
前記指示手段は、前記判別手段によって特定のオブジェクトが含まれていると判別された場合に、前記第２制御手段による制御の実行を指示する、
ようにしたことを特徴とする、請求項２記載の発明であってもよい。
【０００９】
請求項２に従属する発明として、
前記特定のオブジェクトに対して加工処理が施された画像を取得する取得手段をさらに備え、
前記第２制御手段は、前記第１画像として前記表示部に表示させる画像を、前記第２画像として前記取得手段によって取得された画像を、前記表示部に同時に表示させるように制御する、
ようにしたことを特徴とする、請求項３記載の発明であってもよい。
【００１０】
請求項３に従属する発明として、
前記取得手段は、前記特定のオブジェクトが含まれる画像を前記第１画像として、この第１画像に加工処理を施すことによって、前記特定のオブジェクトに加工処理が施された画像を前記第２画像として取得する、
ようにしたことを特徴とする、請求項４記載の発明であってもよい。
【００１１】
請求項３に従属する発明として、
前記取得手段は、前記特定のオブジェクトに加工処理が施された画像を外部から取得する、
ようにしたことを特徴とする、請求項５記載の発明であってもよい。
【００１２】
請求項１に従属する発明として、
前記指示手段は、前記判別手段によって特定のオブジェクトが含まれていないと判別された場合に、前記第１制御手段による制御の実行を指示する、
ようにしたことを特徴とする、請求項６記載の発明であってもよい。
【００１３】
請求項１に従属する発明として、
画像を撮影する撮影手段をさらに備え、
前記判別手段は、前記撮影手段により撮影された画像内に特定のオブジェクトが含まれているか否か判別する、
ようにしたことを特徴とする、請求項７記載の発明であってもよい。
【００１４】
請求項１に従属する発明として、
前記特定のオブジェクトを含む画像と含まない画像とを撮影する撮影手段をさらに備え、
前記第２制御手段は、前記第１画像として前記撮影手段によって撮影された特定のオブジェクトを含む画像を、前記第２画像として前記撮影手段によって撮影された特定のオブジェクトを含まない画像を、前記表示部に同時に表示させるように制御する、
ようにしたことを特徴とする、請求項８記載の発明であってもよい。
【００１５】
また、上述した課題を解決するために請求項９記載の発明は、
表示部の視野角方向を制御する端末装置であって、
前記表示部に表示させる画像内に特定のオブジェクトが含まれるか否かを判別する判別手段と、
前記判別手段によって特定のオブジェクトが含まれると判別された場合に、前記特定のオブジェクトに加工処理が施された画像を取得する取得手段と、
前記表示部に表示させる画像と前記取得手段によって取得された画像とを前記表示部に同時に表示させるとともに、前記表示部に表示させる画像が第１視野角方向から視認されるように前記表示部を制御し、前記取得された画像が該第１視野角方向とは異なる第２視野角方向から視認されるように前記表示部を制御する第１制御手段と、
を備えることを特徴とする。
【００１６】
請求項９に従属する発明として、
前記判別手段によって特定のオブジェクトが含まれないと判別された場合に、前記表示部に表示させる画像を前記表示部に表示させるとともに、前記表示部に表示させる画像が第１視野角方向と該第１視野角方向とは異なる第２視野角方向との両方から視認されるように前記表示部を制御する第２制御手段をさらに備える、
ようにしたことを特徴とする、請求項１０記載の発明であってもよい。
【００１７】
また、上述した課題を解決するために請求項１１記載の発明は、
表示部の視野角方向を制御する端末装置であって、
第１画像を前記表示部に表示させるとともに、第１視野角方向と該第１視野角方向とは異なる第２視野角方向との両方から前記第１画像が視認されるように前記表示部を制御する第１制御手段と、
前記第１画像とそれとは異なる第２画像とを前記表示部に同時に表示させるとともに、前記第１視野角方向から前記第１画像が視認されるように前記表示部を制御し、前記第２視野角方向から前記第２画像が視認されるように前記表示部を制御する第２制御手段と、
前記表示部に表示させる画像がその画像とは異なる画像と対応付けられているか否かを判別する判別手段と、
前記判別手段の判別結果に基づいて、前記第１制御手段及び第２制御手段のいずれか一方による制御の実行を指示する指示手段と、
を備えることを特徴とする。
【００１８】
請求項１１に従属する発明として、
前記特定のオブジェクトを含む第１画像と含まない第２画像とを撮影する撮影手段と、
前記撮影手段によって撮影された特定のオブジェクトを含む第１画像と含まない第２画像とを対応付けて記憶部に記憶させる記憶制御手段と、
をさらに備え、
前記判別手段は、前記記憶部に記憶されている特定のオブジェクトを含む第１画像が、特定のオブジェクトを含まない第２画像と対応付けられているか否かを判別する、
ようにしたことを特徴とする、請求項１２記載の発明であってもよい。
【００１９】
また、上述した課題を解決するために請求項１３記載の発明は、
コンピュータに対して、
第１画像を表示部に表示させるとともに、第１視野角方向と該第１視野角方向とは異なる第２視野角方向との両方から前記第１画像が視認されるように前記表示部を制御する機能と、
前記第１画像とそれとは異なる第２画像とを前記表示部に同時に表示させるとともに、前記第１視野角方向から前記第１画像が視認されるように前記表示部を制御し、前記第２視野角方向から前記第２画像が視認されるように前記表示部を制御する機能と、
前記表示部に表示させる画像内に特定のオブジェクトが含まれるか否かを判別する機能と、
前記判別結果に基づいて、前記第１視野角方向と第２視野角方向との両方から前記第１画像が視認されるような制御の実行を指示し、前記第１視野角方向から前記第１画像が視認され、かつ、前記第２視野角方向から前記第２画像が視認されるような制御の実行を指示する機能と、
を実現させるためのプログラムであることを特徴とする。
【００２０】
また、上述した課題を解決するために請求項１４記載の発明は、
コンピュータに対して、
表示部に表示させる画像内に特定のオブジェクトが含まれるか否かを判別する機能と、
前記特定のオブジェクトが含まれると判別された場合に、前記特定のオブジェクトに加工処理が施された画像を取得する機能と、
前記表示部に表示させる画像と前記取得された画像とを前記表示部に同時に表示させるとともに、前記表示部に表示させる画像が第１視野角方向から視認されるように前記表示部を制御し、前記取得された画像が該第１視野角方向とは異なる第２視野角方向から視認されるように前記表示部を制御する機能と、
を実現させるためのプログラムであることを特徴とする。
【００２１】
また、上述した課題を解決するために請求項１５記載の発明は、
コンピュータに対して、
第１画像を表示部に表示させるとともに、第１視野角方向と該第１視野角方向とは異なる第２視野角方向との両方から前記第１画像が視認されるように前記表示部を制御する機能と、
前記第１画像とそれとは異なる第２画像とを前記表示部に同時に表示させるとともに、前記第１視野角方向から前記第１画像が視認されるように前記表示部を制御し、前記第２視野角方向から前記第２画像が視認されるように前記表示部を制御する機能と、
前記表示部に表示させる第１画像がその画像とは異なる画像と対応付けられているか否かを判別する機能と、
前記判別結果に基づいて、前記第１視野角方向と第２視野角方向との両方から前記第１画像が視認されるような制御の実行を指示し、前記第１視野角方向から前記第１画像が視認され、かつ、前記第２視野角方向から前記第２画像が視認されるような制御の実行を指示する機能と、
を実現させるためのプログラムであることを特徴とする。
【発明の効果】
【００２２】
本発明によれば、複数人に同じ内容の画像を見せるか一部の人に異なる画像を見せるかを特別な操作を要求することなく適切に制御することができ、実用性に富んだものとなる。
【図面の簡単な説明】
【００２３】
【図１】端末装置として適用した携帯電話機が利用可能な通信ネットワークシステムを示したブロック図。
【図２】携帯電話機１の基本的な構成要素を示したブロック図。
【図３】画像記憶部Ｍ３を説明するための図。
【図４】オブジェクト記憶部Ｍ４を説明するための図。
【図５】表示部１８の表層に視差バリアが生成されている状態において、加工処理済み画像と加工前の元画像とを表示部１８に同時に表示させた場合に視野角方向に応じて見ることができる画像が異なることを説明するための図。
【図６】電源投入に伴って実行開始される携帯電話機１側の全体動作の概要を示したメインのフローチャート。
【図７】画像取得処理（図６のステップＡ６）を詳述するためのフローチャート。
【図８】画像表示処理（図６のステップＡ８）を詳述するためのフローチャート。
【図９】図８の動作に続くフローチャート。
【図１０】第２実施形態において画像取得処理（図６のステップＡ６）を詳述するためのフローチャート。
【図１１】第２実施形態において画像表示処理（図６のステップＡ８）を詳述するためのフローチャート。
【発明を実施するための形態】
【００２４】
（第１実施形態）
図１〜図９を参照して本発明の第１実施形態を説明する。
この実施形態は、端末装置として携帯電話機に適用した場合を例示したもので、図１は、この携帯電話機が利用可能な通信ネットワークシステムを示したブロック図である。
携帯電話機１は、例えば、２つの筐体（図示しない操作部筐体、表示部筐体）を折り畳み自在に取り付けた折り畳みタイプの携帯電話機で、通話機能、電子メール機能、インターネット接続機能（Ｗｅｂアクセス機能）のほか、テレビ放送受信機能、カメラ機能などを備えている。
【００２５】
携帯電話機１は、最寄りの基地局２Ａ、交換機２Ｂから無線通信網（移動体通信網）２に接続されると、この無線通信網２を介して他の携帯電話機（図示省略）との間で通話可能な状態となる。また、携帯電話機１は、無線通信網２を介してインターネット３に接続されると、Ｗｅｂサイトをアクセスして閲覧可能となり、また、画像配信装置４から画像（動画や静止画）などをインターネット３及び無線通信網２を介してダウンロード受信が可能となる。また、携帯電話機１は、テレビ局５から送信アンテナ６を介して発信された地上波デジタル放送を受信するようにしているが、インターネットラジオのように無線通信網２、インターネット３を介して画像配信装置４からデジタル放送をダウンロード受信することもできる。
【００２６】
図２は、携帯電話機１の基本的な構成要素を示したブロック図である。
中央制御部１１は、二次電池を備えた電池部１２からの電力供給によって動作し、記憶部１３内の各種のプログラムに応じてこの携帯電話機１の全体動作を制御する中央演算処理装置やメモリ（図示省略）などを有している。この記憶部１３には、プログラム記憶部Ｍ１、各種情報一時記憶部Ｍ２、画像記憶部Ｍ３、オブジェクト記憶部Ｍ４などが設けられている。
【００２７】
プログラム記憶部Ｍ１は、図６〜図９に示した動作手順に応じて本実施形態を実現するためのプログラムや各種のアプリケーションなどが格納されているほか、それに必要とする情報などが記憶されている。なお、記憶部１３は、例えば、ＳＤカード、ＩＣカードなど、着脱自在な可搬型メモリ（記録メディア）を含む構成であってもよく、図示しない所定の外部サーバ上にあってもよい。また、各種情報一時記憶部Ｍ２は、フラグ情報、画面情報など、携帯電話機１が動作するために必要な各種の情報を一時的に記憶するワーク領域である。なお、画像記憶部Ｍ３、オブジェクト記憶部Ｍ４については、後で詳述するものとする。
【００２８】
無線通信部１４は、無線部、ベースバンド部、多重分離部などを備え、例えば、通話機能、電子メール機能、インターネット接続機能などの動作時に、最寄りの基地局２Ａとの間でデータの送受信を行うもので、通話機能の動作時にはベースバンド部の受信側から信号を取り込んで受信ベースバンド信号に復調して中央制御部１１に対して出力すると、中央制御部１１は、音声信号処理部１５を介して通話用スピーカＳＰから音声出力させ、また、通話用マイクＭＣからの入力音声データを音声信号処理部１５から取り込み、送信ベースバンド信号に符号化した後、ベースバンド部の送信側に与えてアンテナＡＮ１から発信出力させる。
【００２９】
テレビ放送受信部１６は、地上波デジタルテレビ放送を受信するもので、１つのチャンネル枠の中で複数の番組を分割して同時に放送するマルチ編成放送を受信可能となっている。なお、通信端末装置向けのワンセグ放送（１セグ放送）を受信する場合には、１つのチャンネル枠の中で２つ番組を分割して同時に受信可能となり、また、高解像度のデジタルテレビ放送（１２セグ放送）を受信する場合には、１つのチャンネル枠の中で３つの番組を分割して同時に受信可能となっている。そして、このテレビ放送受信部１６は、アンテナＡＮ２から放送信号を抽出する受信部（アナログ回路部）と、受信した放送信号をＯＦＤＭ（直交周波数分割多重）復調したり、多重化されている放送信号から映像、音声、データ（文字データ）に分離して復号化したり、圧縮データを解凍したりするなどを行うデジタル回路部を有している。
【００３０】
撮像部１７は、カメラ機能を構成する構成要素で、撮像素子（例えば、ＣＣＤあるいはＣＭＯＳ）を有し、静止画撮影のほかに動画撮影も可能となっている。そして、撮像部１７は、撮影レンズ、測距センサ、光量センサ、アナログ処理回路、信号処理回路、圧縮伸張回路などを備え、光学ズームを調整制御したり、オートフォーカス時の駆動制御、シャッタ駆動制御、露出、ホワイトバランスなどを制御したりする。この撮像部１７には、特殊撮影機能として連写機能を備えており、１回の特殊撮影操作（連写機能を選択した後のシャッタ操作）に応答して、所定時間（例えば、数秒）内で複数回（例えば、２回）の連続撮影を行うようにしている。
【００３１】
表示部１８は、高精細液晶を使用し、例えば、文字情報、待受画像、静止画、動画、テレビ映像などを表示させるもので、この表示部１８の表面には、図示省略したが、細かい透光性スリットを有する視差バリアを生成するための液晶の層が設けられている。視差バリア制御部１９は、複数の異なる画像が表示部１８に同時に表示されている場合に、ある視野角方向からはある画像が、別の視野角方向からは別の画像が視認されるように視差バリアを表示部１８の表層に生成させるもので、中央制御部１１の制御下で表示部１８の表層に視差バリアを生成させたり、表示部１８の表層から視差バリアを消去させたりする。
【００３２】
操作部２０は、ダイヤル入力、文字入力、コマンド入力などを入力するもので、中央制御部１１は、この操作部２０からの入力操作信号に応じた処理を実行する。例えば、電源オン／オフ操作に応じて電源オン／オフ処理を実行したり、画像取得操作（画像のダウンロードを指示するダウンロード操作や撮影を指示する撮影操作など）に応じて画像取得処理を実行したりする。ＲＴＣ（リアルタイムクロックモジュール）２１は、時計部を構成するもので、中央制御部１１は、ＲＴＣ２１から現在日時を取得する。報知部２２は、サウンドスピーカ２２Ａ、ＬＥＤ（発光ダイオード）２２Ｂ、振動モータ２２Ｃを備え、着信時に駆動されて着信報知を行うほか、アラーム報知時などでも駆動される。
【００３３】
図３は、画像記憶部Ｍ３を説明するための図である。
画像記憶部Ｍ３は、撮像部１７により撮影された画像や画像配信装置４からダウンロード受信した画像などの各種の画像データをその画像に関する情報とともに記憶するもので、「画像ＩＤ」、「タイトル」、「種別」、「元画像（実データ）」、「加工処理済み画像（実データ）」、…、を有する構成となっている。ここで、「画像ＩＤ」は、画像を識別する一連番号などである。「タイトル」は、画像に付された付加情報（画像名）である。
【００３４】
「種別」は、画像の種類として静止画であるか動画であるかを示す。「元画像（実データ）」は、画像の実際のデータであり、この画像データ（実データ）の一部分に対して、所定の加工処理が施される前の元の画像データを示している。これに対して「加工処理済み画像（実データ）」は、元画像に対して加工処理が施された後の画像データを示している。なお、「元画像」と「加工処理済み画像」とは１対１の関係で記憶されている場合に限らず、「加工処理済み画像」が記憶されていない場合もあり、図中、「−」は、加工処理済み画像が記憶されていないことを示している。
【００３５】
ここで、所定の加工処理とは、画像内に含まれている特定のオブジェクト（人物、文字列など）に対して、そのオブジェクトを消去したり、モザイクをかけたり、他の画像に置き換えたりする処理を示し、中央制御部１１は、表示対象として指定された画像を表示部１８に表示させる場合に、その画像を解析することによりその画像内に特定のオブジェクトが含まれているか否かを判別し、特定のオブジェクトが含まれている場合には、当該画像に対して上述した所定の加工処理を施すようにしている。この場合、中央制御部１１は、視差バリア制御部１９に対して視差バリアの生成を指示するとともに、加工処理前の元画像（第１画像）と加工処理済みの画像（第２画像）とを表示部１８に同時に表示させるようにしている。なお、加工処理を施す範囲は、特定のオブジェクトだけに限らず、画像全体など、特定のオブジェクトを含む任意の範囲であってもよい。
【００３６】
図４は、オブジェクト記憶部Ｍ４を説明するための図である。
オブジェクト記憶部Ｍ４は、上述した所定の加工処理の対象となるオブジェクトを特定するための情報と、そのオブジェクトに対してどのような種類の加工を施すかを示す加工処理内容とを記憶するもので、「オブジェクトＩＤ」、「タイトル」、「実データ」、「加工処理内容」、…、を有する構成となっている。「オブジェクトＩＤ」は、オブジェクトを識別する一連番号などである。「タイトル」は、オブジェクトに付された付加情報（オブジェクト名）である。「種別」は、オブジェクトの種類として画像であるかテキストであるかを示している。「実データ」は、オブジェクトの実際のデータ（画像データ、文字列データ）を示し、「加工処理内容」は、そのオブジェクトに施す加工処理の種類（消去、モザイク、置き換え）を示している。そして、このようなオブジェクト記憶部Ｍ４の内容は、ユーザ操作により任意に設定可能となっている。
【００３７】
図５は、表示部１８の表層に視差バリアが生成されている状態において、表示対象として指定された画像内の特定のオブジェクトに対して加工処理を施した加工処理済み画像と、その加工処理を施す前の元画像とが表示部１８に同時に表示されている場合に、表示部１８に対向しているユーザや第三者の視野角方向により見ることができる画像がそれぞれ異なることを説明するための図である。
【００３８】
図５（１）は、表示部１８に対向してその略正面から見ているユーザと、正面以外の左右両側から見ている第三者とを示した図である。この場合、表示部１８を略正面から見るときの視野角方向を第１視野角方向と称呼し、この第１視野角方向から外れた左右両側の視野角方向を第２視野角方向と称呼すると、第１視野角方向からは元画像が、第２視野角方向からは加工処理済み画像が視認されるような視差バリアを表示部１８の表層に生成するようにしている。従って、表示部１８を略正面から見るユーザにあっては、元画像を視認することができ、正面以外の左右両側から見る第三者にあっては、加工処理済み画像を視認することができるようになる。
【００３９】
図５（２）、（３）は、元画像と加工処理済み画像を具体的に例示した図である。すなわち、図示の例では、表示部１８の略正面に位置している画像が元画像となり、その左右両側に位置している画像が加工処理済み画像となる。そして、図５（２）は、元画像（２人の人物を撮影した画像）を加工した加工処理済み画像として、元画像内から特定のオブジェクト（家族などの人物）を消去した画像を示し、また、図５（３）は、元画像（緊急連絡先と住所を含む画像）内の特定のオブジェクト（電話番号や住所の文字列）をモザイク処理した画像を示している。
【００４０】
次に、第１実施形態における携帯電話機１の動作概念を図６〜図９に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。このことは後述する他の実施形態においても同様であり、記録媒体のほかに、伝送媒体を介して外部供給されたプログラム／データを利用して本実施形態特有の動作を実行することもできる。
【００４１】
図６は、電源投入に伴って実行開始される携帯電話機１側の全体動作の概要を示したメインのフローチャートである。
先ず、中央制御部１１は、電源を投入する電源オン操作が行われると（ステップＡ１でＹＥＳ）、電源供給を開始させて所定のメモリなどを初期化する電源オン処理を実行した後、所定の待受画像を読み出して表示させたり、基地局２Ａとの間で通信を行って位置登録をしたりする待受処理を行う（ステップＡ２）。この状態において、設定操作が行われたかを調べたり（ステップＡ３）、画像取得操作が行われたかを調べたり（ステップＡ５）、画像表示指示の発生を検出したかを調べたり（ステップＡ７）、着信を検出したかを調べたり（ステップＡ９）、電源オフ操作が行われたかを調べたり（ステップＡ１１）、その他の操作が行われたかを調べる（ステップＡ１３）。
【００４２】
いま、任意の情報を設定するために設定操作が行われたときには（ステップＡ３でＹＥＳ）、その操作に対応する設定処理を行う（ステップＡ４）。例えば、オブジェクト記憶部Ｍ４に対する設定処理としては、秘匿を希望するユーザの家族の画像や電話番号などを加工対象のオブジェクトとして指定してオブジェクト記憶部Ｍ４に設定する処理を行う。このような設定処理が終わると、上述のステップＡ３に戻る。また、画像取得操作が行われたときには、つまり、画像のダウンロードを指示するダウンロード操作や撮影を指示する撮影操作などの画像取得操作が行われたときには（ステップＡ５でＹＥＳ）、画像取得処理を行った後（ステップＡ６）、上述のステップＡ３に戻る。この画像取得処理は、ダウンロードや撮影などで取得した画像を画像記憶部Ｍ３に記憶させる処理である。
【００４３】
図７は、画像取得処理（図６のステップＡ６）を詳述するためのフローチャートである。
先ず、中央制御部１１は、画像取得処理の開始を指示する画像取得操作が特殊撮影操作によるものなのか（ステップＢ１）、通常の撮影操作によるものなのか（ステップＢ６）、ダウンロード操作によるものなのかその他の操作によるものなのかを調べる（ステップＢ９）。いま、画像取得操作が特殊撮影操作によるものであれば（ステップＢ１でＹＥＳ）、撮像部１７の特殊撮影機能（連写機能）を作動させて、所定時間内に複数回の連続撮影を行わせる（ステップＢ２、Ｂ３）。
【００４４】
すなわち、例えば、ある被写体（例えば、秘匿を希望する家族などの特定の被写体）を含む画像（画像Ａ）の撮影を行わせた後（ステップＢ２）、その被写体自体を撮影範囲外に移動させたり、又はその被写体が撮影範囲内に含まれないように撮影範囲を移動したりして、その特定の被写体を含まない画像（画像Ｂ）の撮影を行わせる（ステップＢ３）。そして、最初に撮影された画像（特定の被写体を含む画像）Ａを「元画像」として画像記憶部Ｍ３に記憶させるとともに（ステップＢ４）、次に撮影された画像（特定の被写体を含まない画像）Ｂを「加工処理済み画像」として画像記憶部Ｍ３に記憶させる（ステップＢ５）。
【００４５】
また、画像取得操作が通常の撮影操作によるものであれば（ステップＢ６でＹＥＳ）、上述のような特殊撮影ではない通常の画像撮影を行わせた後（ステップＢ７）、その撮影された画像を「元画像」として画像記憶部Ｍ３に記憶させる（ステップＢ８）。また、画像取得操作がダウンロード操作によるものであれば（ステップＢ９でＹＥＳ）、画像配信装置４から画像（動画や静止画）をダウンロード受信して（ステップＢ１０）、この画像を「元画像」として画像記憶部Ｍ３に記憶させる（ステップＢ８）。また、画像取得操作が上述の撮影操作やダウンロード操作以外のその他の操作によるものであれば（ステップＢ９でＮＯ）、例えば、外部記録媒体からの画像コピーなどを指示するコピー操作であれば、外部記憶媒体から画像をコピー取得するなど、その操作に応じた画像取得処理を実行した後（ステップＢ１１）、この画像を「元画像」として画像記憶部Ｍ３に記憶させる（ステップＢ８）。
【００４６】
このような画像取得処理（図６のステップＡ６）が終わると、図６のステップＡ３に戻る。ここで、画像表示指示の発生を検出したか（ステップＡ７）、つまり、ユーザ操作により画像表示が指示されたとき又はスライドショーのように複数の画像を所定時間毎に次々に切り替え表示させるための切り替えタイミングを検出したときには、画像表示処理を行った後（ステップＡ８）、上述のステップＡ３に戻る。この画像表示処理は、表示部１８に表面に視差バリアを生成させることにより、上述の第１視野角方向からは元画像が、上述の第２視野角方向からは加工処理済み画像が視認されるように制御する処理（個別閲覧処理）の実行を指示したり、表示部１８の視差バリアを消去させることにより、第１視野角方向、第２視野角方向を問わず、その両方から元画像が視認されるように制御する処理（共通閲覧処理）の実行を指示したりする。
【００４７】
図８及び図９は、画像表示処理（図６のステップＡ８）を詳述するためのフローチャートである。
先ず、中央制御部１１は、画像の表示指示の発生がテレビ番組の視聴操作によるものなのか（図８のステップＣ１）、動画ストリーミング視聴操作によるものなのかその他の要因として、例えば、画像記憶部Ｍ３に記憶されている画像の表示操作によるものなのか、次の画像への切り替え表示（自動表示）によるものなのかを調べる（図９のステップＣ１８）。
【００４８】
いま、テレビ番組の視聴操作によるものであれば（図８のステップＣ１でＹＥＳ）、テレビ機能を起動させて、テレビ放送受信部１６から画像（テレビ番組）を受信する受信動作を開始した後（ステップＣ２）、画像（テレビ番組）を表示する処理を行うと共に、上述の画像取得処理に相当する処理も併せて行う。先ず、加工処理済み画像も送信されているか、つまり、マルチ編成放送が行われているかを調べる（ステップＣ３）。すなわち、現在受信中の番組のテレビ映像を第１画像とすると、この第１画像と異なるテレビ映像が第２画像（加工処理済み画像）として現チャンネル枠内の他の番組で放送されているか、言い換えれば、特定のオブジェクト（例えば、悲惨な映像部分など）を含まない番組が放送されているかを判別し、その判別結果に基づいて、上述の個別閲覧処理の実行を指示したり、上述の共通閲覧処理の実行を指示したりする。いま、このようなマルチ編成放送が行われている場合、つまり、特定のオブジェクトを含まない加工処理済み画像（テレビ番組の映像）も送信されている場合には（ステップＣ３でＹＥＳ）、先ず、上述の個別閲覧処理を実行する準備として、この加工処理済み画像の受信を開始した後（ステップＣ４）、上述の第１画像を「元画像」として各種情報一時記憶部Ｍ２に一時記憶させ（ステップＣ５）、また、上述の第２画像（加工処理済み画像）を各種情報一時記憶部Ｍ２に一時記憶させる（ステップＣ６）。
【００４９】
そして、中央制御部１１は、視差バリア制御部１９を駆動させることにより、表示部１８の略正面から見る場合の視野角方向からは第１画像（元画像）が、正面以外の左右両側の見る場合の視野角方向からは第２画像（加工処理済み画像）が視認されるように視差バリアを表示部１８の表層に生成させた後（ステップＣ７）、この第１画像（元画像）及び第２画像（加工処理済み画像）を表示部１８に同時に表示させる（ステップＣ８）。これによって図５で示したようにユーザは元画像を、第三者は加工処理済み画像を見ることができるようになる。その後、図８及び図９のフローから抜ける。
【００５０】
一方、上述のようなマルチ編成放送が行われていない場合、つまり、加工処理済み画像も送信されていない場合には（ステップＣ３でＮＯ）、更に、上述の第１画像を「元画像」として各種情報一時記憶部Ｍ２に一時記憶させた後（ステップＣ９）、この元画像を解析することにより画像内に含まれている各オブジェクトを抽出する（ステップＣ１０）。そして、オブジェクト記憶部Ｍ４に記憶されている各オブジェクトを読み出し（ステップＣ１１）、上述の元画像の解析結果と、読み出した各オブジェクトとを比較することにより元画像内にいずれかのオブジェクトが含まれているかを調べる（ステップＣ１２）。
【００５１】
すなわち、中央制御部１１は、受信したテレビ番組の映像（元画像）の中に特定のオブジェクト（例えば、悲惨な映像部分など）が含まれているかを判別し、その判別結果に基づいて、上述の個別閲覧処理の実行を指示したり、上述の共通閲覧処理の実行を指示したりする。いま、元画像内にいずれのオブジェクトも含まれていなければ（ステップＣ１２でＮＯ）、上述の共通閲覧処理を実行するために、次のステップＣ１６に移り、表示部１８に視差バリアが生成されていれば、それを消去させた後、元画像を表示部１８に表示させる（ステップＣ１７）。その後、図８及び図９のフローから抜ける。
【００５２】
テレビ番組の映像（元画像）の中に特定のオブジェクトが含まれていれば（ステップＣ１２でＹＥＳ）、先ず、上述の個別閲覧処理を実行する準備として、ステップＣ１３に移り、元画像内に含まれているオブジェクト対応の「加工処理内容」を読み出した後、この「加工処理内容」に応じた加工処理を実行することにより、加工処理済み画像を取得する（ステップＣ１４）。なお、画像配信装置４側で元画像（テレビ映像）に対する加工処理が実行されたときにはその加工処理済み画像を画像配信装置４から受信取得したり、予め記憶されている加工処理済み画像を画像配信装置４から受信取得したりするようにしてもよい。そして、上述のようにして取得した加工処理済み画像を各種情報一時記憶部Ｍ２に一時記憶させた後（ステップＣ１５）、視差バリア制御部１９を駆動させて、表示部１８の表層に視差バリアを生成させた後（ステップＣ７）、第１画像（元画像）及び第２画像（加工処理済み画像）を表示部１８に同時に表示させる（ステップＣ８）。
【００５３】
他方、画像の表示指示の発生が動画ストリーミング視聴操作によるものであれば（図９のステップＣ１８でＹＥＳ）、画像配信装置４から配信される画像（動画）を元画像（第１画像）として受信する受信動作を開始した後（ステップＣ１９）、この画像を表示する処理を行うと共に、上述の画像取得処理に相当する処理も併せて行う。先ず、この第１画像と異なる第２画像（加工処理済み画像）が画像配信装置４から配信されているかを調べる（ステップＣ２０）。すなわち、特定のオブジェクト（例えば、悲惨な映像部分など）を含まない画像が第２画像（加工処理済み画像）として配信されているかを判別し、その判別結果に基づいて、上述の個別閲覧処理の実行を指示したり、上述の共通閲覧処理の実行を指示したりする。
【００５４】
いま、第２画像（加工処理済み画像）が配信されていなければ（ステップＣ２０でＮＯ）、図８のステップＣ９に移り、以下、上述の動作を行い、元画像を解析してその中に特定のオブジェクトが含まれている否かを判別し、その判別結果に応じて上述の個別閲覧処理を実行したり、上述の共通閲覧処理を実行したりする。また、第２画像（加工処理済み画像）が配信されていれば（図９のステップＣ２０でＹＥＳ）、この第２画像（加工処理済み画像）を受信した後（ステップＣ２１）、図８のステップＣ５に移り、以下、元画像及び加工処理済み画像を一時記憶させる（ステップＣ５、Ｃ６）。そして、上述の個別閲覧処理を実行するために、ステップＣ７に移り、表示部１８の表層に視差バリアを生成させた後、第１画像（元画像）及び第２画像（加工処理済み画像）を表示部１８に同時に表示させる（ステップＣ８）。
【００５５】
画像の表示指示の発生がその他の要因によるものであれば（図９のステップＣ１８でＮＯ）、例えば、画像記憶部Ｍ３に記憶されている画像（撮影画像、コピー画像など）に対する表示操作が行われた場合や画像記憶部Ｍ３に記憶されている画像の自動表示が指示された場合には、表示を指示された画像の「元画像」を画像記憶部Ｍ３から読み出し（ステップＣ２２）、この「元画像」に対応して「加工処理済み画像」が画像記憶部Ｍ３に記憶されているかを調べる（ステップＣ２３）。すなわち、特定のオブジェクト（例えば、家族などの被写体）を含まない画像が第２画像（加工処理済み画像）として記憶されているかを判別し、その判別結果に基づいて、上述の個別閲覧処理の実行を指示したり、上述の共通閲覧処理の実行を指示したりする。
【００５６】
いま、「加工処理済み画像」が記憶されていなければ（ステップＣ２３でＮＯ）、図８のステップＣ９に移り、以下、上述の動作を行い、元画像を解析してその中に特定のオブジェクトが含まれているか否かを判別し、その判別結果に応じて上述の個別閲覧処理を実行したり、上述の共通閲覧処理を実行したりする。また、「加工処理済み画像」が画像記憶部Ｍ３に記憶されていれば（ステップＣ２３でＹＥＳ）、この「加工処理済み画像」を読み出した後（ステップＣ２４）、図８のステップＣ５に移り、以下、上述の動作を行い、以下、元画像及び加工処理済み画像を一時記憶させる（ステップＣ５、Ｃ６）。そして、上述の個別閲覧処理を実行するために、ステップＣ７に移り、表示部１８の表層に視差バリアを生成させた後、第１画像（元画像）及び第２画像（加工処理済み画像）を表示部１８に同時に表示させる（ステップＣ８）。
【００５７】
他方、着信を検出したときには（図６のステップＡ９でＹＥＳ）、その応答操作に応じて通話処理を行った後（ステップＡ１０）、上述のステップＡ３に戻る。また、電源オフ操作を検出したときには（ステップＡ１１でＹＥＳ）、電源オフ処理を行った後（ステップＡ１２）、このフローの終了となるが、発信操作など、その他の操作が行われたときには（ステップＡ１３でＹＥＳ）、操作に応じた処理として発信処理などを行った後（ステップＡ１４）、上述のステップＡ３に戻る。
【００５８】
以上のように、この実施形態において中央制御部１１は、表示部１８に表示させる画像に特定のオブジェクトが含まれるか否かに基づいて、複数の視野角方向から同じ画像が視認されるように制御するか、別々の画像が視認されるように制御するようにしたので、複数人に同じ内容の画像を見せるか、一部の人に異なる画像を見せるかを特別な操作を要求することなく適切に制御することができる。従って、例えば、会社の同僚達と一緒に画像を閲覧するような場合に、同僚に対して家族の画像や電話番号などの特定のオブジェクトだけを見せないようにすることができ、また、電車内で画像を閲覧している場合に他人に覗き見されたとしても家族の画像や電話番号などの特定のオブジェクトだけを見せないようにすることができるなど、実用性に富んだものとなる。
【００５９】
表示部１８に表示させる画像に特定のオブジェクトが含まれている場合には、複数の視野角方向から別々の画像が視認されるように制御するようにしたので、例えば、ある視野角方向からは第三者に閲覧されたくない画像が視認されるように制御することができ、それ以外の視野角方向からは第三者に閲覧されたとしても問題のない画像だけが視認されるように制御することができる。
【００６０】
特定のオブジェクトに加工処理が施された画像を第２画像として取得するようにしたので、この取得した第２画像を第１画像とともに表示部８に同時に表示させることができ、ある視野角方向からは特定のオブジェクトが含まれる画像が視認させ、別の視野角方向からは特定のオブジェクトに加工処理が施された画像が視認させることができる。
【００６１】
特定のオブジェクトが含まれる画像を第１画像とし、この第１画像内の特定のオブジェクトに対して加工処理を施すことによって、この特定のオブジェクトに加工処理が施された画像を第２画像として取得するようにしたので、第１画像を元にその画像とは異なる画像を得ることができる。
【００６２】
特定のオブジェクトに加工処理が施された画像を外部の画像配信装置４から取得するようにしたので、加工処理が施された画像を容易に得ることができる。
【００６３】
画像内に特定のオブジェクトが含まれていなければ、複数の視野角方向からその画像が視認されるように制御するようにしたので、誰に閲覧されても問題のない画像に対する制御として適切なものとなる。
【００６４】
撮像部１７により撮影された画像内に特定のオブジェクトが含まれているか否かを判別するようにしたので、撮影された画像に基づいて、複数の視野角方向から同じ画像が視認されるようにするか、別々の画像が視認されるようにするかを制御することができる
【００６５】
撮像部１７は、特定のオブジェクトを含む画像と、そのオブジェクトを含まない画像とを撮影し、この特定のオブジェクトを含む撮影画像と特定のオブジェクトを含まない撮影画像とを表示部８に同時に表示させるようにしたので、ある視野角方向からは特定のオブジェクトを含む撮影画像が視認されるように制御することができ、それ以外の視野角方向からは特定のオブジェクトを含まない撮影画像が視認されるように制御することができる。
【００６６】
表示部１８に表示させる画像に特定のオブジェクトが含まれる場合に、ある視野角方向からはその画像が視認されるように制御し、別の視野角方向からはそのオブジェクトに対する加工処理後の画像が視認されるように制御するようにしたので、複数人に異なる画像を見せることができ、覗き見などに適切に対応することができる。
【００６７】
この場合、特定のオブジェクトが含まれない場合には、画像が第１視野角方向と第２視野角方向の両方から視認されるように表示部８を制御するようにしたので、特定のオブジェクトが含まれない場合には、第三者に閲覧されても問題のない画像とすることができる。
【００６８】
（第２実施形態）
以下、この発明の第２実施形態について図１０及び図１１を参照して説明する。
なお、上述した第１実施形態においては、表示部１８に表示させる画像に特定のオブジェクトが含まれるか否かに基づいて、複数の視野角方向から同じ画像が視認されるようにするか、別々の画像が視認されるようにするかを制御するようにしたが、この第２実施形態においては、表示部１８に表示させる画像がそれとは異なる画像に対応付けられているか否かに基づいて、複数の視野角方向から同じ画像が視認されるようにするか、別々の画像が視認されるようにするかを制御するようにしたものである。ここで、両実施形態において基本的あるいは名称的に同一のものは、同一符号を付して示し、その説明を省略するとともに、以下、第２実施形態の特徴部分を中心に説明するものとする。
【００６９】
なお、第２実施形態においても、電源投入に伴って実行開始される携帯電話機１側の全体動作は、図６のフローチャートと同様であるため、その説明は省略するが、画像取得処理（図６のステップＡ６）は、上述した図７に代わる図１０のフローチャート、また、画像表示処理（図６のステップＡ８）は、上述した図８及び図９に代わる図１１のフローチャートに従って実行するようにしている。
【００７０】
図１０は、第２実施形態における画像取得処理（図６のステップＡ６）を詳述するためのフローチャートである。
先ず、中央制御部１１は、画像取得処理の開始を指示する画像取得操作が特殊撮影操作によるものなのか（ステップＤ１）、通常の撮影操作によるものなのか（ステップＤ６）、ダウンロード操作によるものなのかその他の操作によるものなのかを調べる（ステップＤ１５）。いま、画像取得操作が特殊撮影操作によるものであれば（ステップＤ１でＹＥＳ）、上述した図７のステップＢ２〜Ｂ５と同様に、撮像部１７の特殊連写機能を作動させて、所定時間内に複数回の連続撮影を行わせることにより、特定のオブジェクトを含む画像Ａと、特定のオブジェクトを含まない画像Ｂを取得する（ステップＤ２、Ｄ３）。そして、最初に撮影された画像Ａを「元画像」として画像記憶部Ｍ３に記憶させるとともに（ステップＤ４）、次に撮影された画像Ｂを「加工処理済み画像」として画像記憶部Ｍ３に記憶させる（ステップＤ５）。
【００７１】
また、画像取得操作が通常の撮影操作によるものであれば（ステップＤ６でＹＥＳ）、通常の画像撮影を行わせた後（ステップＤ７）、その撮影された画像を「元画像」として画像記憶部Ｍ３に記憶させる（ステップＤ８）。そして、この元画像を解析することにより、この元画像内に含まれている各オブジェクトを抽出するとともに（ステップＤ９）、オブジェクト記憶部Ｍ４に記憶されている各オブジェクトを読み出し（ステップＤ１０）、上述の元画像の解析結果と、読み出した各オブジェクトとを比較することにより元画像内にいずれかのオブジェクトが含まれているかを調べる（ステップＤ１１）。ここで、いずれのオブジェクトも含まれていなければ（ステップＤ１１でＮＯ）、図１０のフローから抜ける。
【００７２】
また、元画像内にいずれかのオブジェクトが含まれていれば（ステップＤ１１でＹＥＳ）、元画像内に含まれているオブジェクト対応の「加工処理内容」を読み出した後（ステップＤ１２）、この「加工処理内容」に応じた加工処理を実行することによって、加工処理済み画像を取得する（ステップＤ１３）。なお、画像配信装置４側で元画像に対する画像加工処理を実行させてその加工処理済み画像を画像配信装置４から受信取得したり、予め記憶されている加工処理済み画像を画像配信装置４から受信取得したりするようにしてもよい。そして、上述のようにして取得した加工処理済み画像を「元画像」に対応付けて画像記憶部Ｍ３に記憶させた後（ステップＤ１４）、図１０のフローから抜ける。
【００７３】
また、画像取得操作がダウンロード操作によるものであれば（ステップＤ１５でＹＥＳ）、画像配信装置４から画像（動画や静止画）をダウンロード受信して（ステップＤ１６）、この画像を「元画像」として画像記憶部Ｍ３に記憶させた後（ステップＤ８）、上述の画像解析を行うステップＤ９に移り、以下、上述の動作を行う。また、画像取得操作が撮影操作やダウンロード操作以外のその他の操作によるものであれば（ステップＤ１５でＮＯ）、例えば、外部記録媒体からの画像コピーなどを指示するコピー操作であれば、外部記憶媒体から画像をコピー取得するなど、その操作に応じた画像取得処理を実行する（ステップＤ１７）。そして、取得した画像を「元画像」として画像記憶部Ｍ３に記憶させた後（ステップＤ８）、上述の画像解析を行うステップＤ９に移り、以下、上述の動作を行う。
【００７４】
図１１は、第２実施形態において画像表示処理（図６のステップＡ８）を詳述するためのフローチャートである。
先ず、中央制御部１１は、画像記憶部Ｍ３に記憶されている画像（撮影画像、コピー画像など）に対する表示操作が行われた場合や画像記憶部Ｍ３に記憶されている画像の自動表示が指示された場合に、表示を指示された画像の「元画像」を画像記憶部Ｍ３から読み出し（ステップＥ１）、この「元画像」を各種情報一時記憶部Ｍ２に一時記憶させた後（ステップＥ２）、「元画像」に対応して「加工処理済み画像」が画像記憶部Ｍ３に記憶されているかを調べる（ステップＥ３）。すなわち、特定のオブジェクト（例えば、家族などの被写体）が含まれていない画像が画像記憶部Ｍ３内に加工処理済み画像として記憶されているか否かを判別し、その判別結果に基づいて、上述の個別閲覧処理の実行を指示したり、上述の共通閲覧処理の実行を指示したりする。いま、「加工処理済み画像」が記憶されていない場合には（ステップＥ３でＮＯ）、上述の共通閲覧処理を実行するために、次のステップＥ８に移り、表示部１８に視差バリアが生成されていれば、それを消去させた後、元画像を表示部１８に表示させる（ステップＥ９）。その後、図１１のフローから抜ける。
【００７５】
また、「元画像」に対応して「加工処理済み画像」が画像記憶部Ｍ３に記憶されていれば（ステップＥ３でＹＥＳ）、上述の個別閲覧処理を実行する準備として、この「加工処理済み画像」を読み出した後（ステップＥ４）、この加工処理済み画像を各種情報一時記憶部Ｍ２に一時記憶させる（ステップＥ５）。そして、視差バリア制御部１９を駆動させて、表示部１８の表層に視差バリアを生成させた後（ステップＥ６）、元画像及び加工処理済み画像を表示部１８に同時に表示させる（ステップＥ７）。その後、図１１のフローから抜ける。
【００７６】
以上のように、第２実施形態においては、表示部１８に表示させる画像がそれとは異なる画像に対応付けられているか否かに基づいて、複数の視野角方向から同じ画像が視認されるようにするか、別々の画像が視認されるようにするかを制御するようにしたから、複数人に同じ内容の画像を見せるか、一部の人に異なる画像を見せるかを特別な操作を要求することなく適切に制御することができ、実用性に富んだものとなる。
【００７７】
撮影された特定のオブジェクトを含む画像が、撮影された特定のオブジェクトを含まない画像と対応付けられているか否かに基づいて、複数の視野角方向から同じ画像を視認できるようにするか、別々の画像を視認できるようにするかを制御するようにしたので、例えば、特殊な撮影機能として、特定のオブジェクトを含む画像の撮影後に、その特定のオブジェクトを撮影範囲外に移動させたりして、その特定のオブジェクトを含まない画像を撮影するという撮影機能を携帯電話機が備えている場合には、その撮影機能で撮影された特定のオブジェクトを含む画像と含まない画像とをそれぞれ異なる視野角方向から視認させることができる。
【００７８】
なお、上述した各実施形態において表示部１８に表示させる画像としては、静止画、動画、テレビ番組に限らず、例えば、テキストを含む画像など、表示部１８に表示させる任意の種別の画像であってもよい。また、オブジェクトも人物、文字列に限らず、例えば、人体の一部や建物など、表示部１８に表示される任意のオブジェクトであってもよい。
【００７９】
上述した各実施形態においては、加工処理内容として、消去、モザイク、置き換えを示したが、これに限らず、特定のオブジェクトに対する任意の加工処理内容であってもよい。また、上述した各実施形態においては、加工処理済み画像を１つとしたが、２つ以上であってもよい。また、元画像と２つ以上の加工処理済み画像を表示部１８に同時に表示させ、ある視野角方向からは元画像が視認されるように制御するようにし、別の視野角方向からは第１の加工処理済み画像が、さらに別の視野角方向からは第２の加工処理済み画像が、それぞれ視認されるように制御するようにしてもよい。
【００８０】
上述した各実施形態においては、表示部１８の略正面の視野角方向からは元画像が視認されるように制御するようにし、それ以外の視野角方向からは加工処理済み画像が視認されるように制御するようにしたが、それに限らず、任意の視野角方向からは元画像が視認されるようにし、それ以外の視野角方向からは加工処理済み画像が視認されるように制御するようにしてもよい。
【００８１】
その他、端末装置としては携帯電話機に限らず、パーソナルコンピュータ、ＰＤＡ、デジタルカメラ、音楽プレイヤーなど、任意の端末装置であってもよい。さらに、折り畳みタイプの端末装置に限らず、ストレートタイプ、スライドタイプ、スピントップタイプなど任意の筐体構造であってもよい。
【００８２】
また、上述した各実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００８３】
１  携帯電話機
２  無線通信網
３  インターネット
４  画像配信装置
１１  中央制御部
１３  記憶部
１４  無線通信部
１６  テレビ放送受信部
１７  撮像部
１８  表示部
１９  視差バリア制御部
２０  操作部
Ｍ１  プログラム記憶部
Ｍ２  各種情報一時記憶部
Ｍ３  画像記憶部
Ｍ４  オブジェクト記憶部
【図１】
2011197537.tif 000003
【図２】
2011197537.tif 000004
【図３】
2011197537.tif 000005
【図４】
2011197537.tif 000006
【図５】
2011197537.tif 000007
【図６】
2011197537.tif 000008
【図７】
2011197537.tif 000009
【図８】
2011197537.tif 000010
【図９】
2011197537.tif 000011
【図１０】
2011197537.tif 000012
【図１１】
2011197537.tif 000013